(57)【要約】  本発明の１又は複数の態様は、空調機用のリモートコントローラにおける空調機の動作モードを示す表示を、ユーザが容易に理解できるものに容易に変更できるようにすることを目的とする。  各種画面画像を表示する表示部（１３４）と、設定端末から、ユーザの出身地又は居住地に関するユーザ情報を受信する端末通信部（１３５）と、を備え、表示部（１３４）は、受信されたユーザ情報に応じて、空調機の動作モードを示す画面画像を切り替えることを特徴とする。
2019180888.tif 000002
【特許請求の範囲】
【請求項１】
空調機を遠隔操作するリモートコントローラであって、  各種画面画像を表示する表示部と、  設定端末から、ユーザの出身地又は居住地に関するユーザ情報を受信する受信部と、を備え、  前記表示部は、前記受信されたユーザ情報に応じて、前記空調機の動作モードを示す画面画像を切り替えること  を特徴とするリモートコントローラ。
【請求項２】
出身地又は居住地に関する複数の登録情報の各々に、複数のピクトグラムの各々を対応付けるピクトグラム情報を記憶する記憶部と、  前記複数の登録情報の内、前記受信されたユーザ情報に一致する１つの登録情報がある場合に、前記１つの登録情報に対応するピクトグラムを前記複数のピクトグラムから特定し、前記特定されたピクトグラムを含む画面画像を生成し、前記生成された画面画像を前記表示部に表示させる画面構築部と、をさらに備えること  を特徴とする請求項１に記載のリモートコントローラ。
【請求項３】
出身地又は居住地に関する複数の登録情報の各々に、複数のピクトグラムの各々を対応付けるピクトグラム情報を記憶する記憶部と、  前記複数の登録情報の何れも前記受信されたユーザ情報に一致しない場合に、前記複数の情報における出身地又は居住地から、前記受信された登録情報における出身地又は居住地に近接する出身地又は居住地に関する１つの登録情報を特定し、前記１つの登録情報に対応するピクトグラムを前記複数のピクトグラムから特定し、前記特定されたピクトグラムを含む画面画像を生成し、前記生成された画面画像を前記表示部に表示させる画面構築部と、をさらに備えること  を特徴とする請求項１に記載のリモートコントローラ。
【請求項４】
各種指示の入力を受け付ける入力部をさらに備え、  前記画面構築部は、前記複数の登録情報の何れも前記受信されたユーザ情報に一致しない場合に、前記複数の登録情報の中から、前記受信されたユーザ情報における出身地又は居住地に距離が近い順に予め定められた数の前記登録情報を前記表示部に表示して、前記入力部を介して、前記１つの登録情報の選択を受け付けること  を特徴とする請求項３に記載のリモートコントローラ。
【請求項５】
前記受信部は、前記設定端末から、前記ユーザ情報及び新たなピクトグラムを受信し、  前記画面構築部は、前記ユーザ情報を前記登録情報として、前記新たなピクトグラムに対応付けて、前記ピクトグラム情報に追加すること  を特徴とする請求項２から４の何れか一項に記載のリモートコントローラ。
【請求項６】
前記ユーザ情報は、都市名を示すこと  を特徴とする請求項１から５の何れか一項に記載のリモートコントローラ。
【請求項７】
前記登録情報は、都市名を示すこと  を特徴とする請求項２から５の何れか一項に記載のリモートコントローラ。
【発明の詳細な説明】
【技術分野】
【０００１】  本発明は、空調機用のリモートコントローラに関する。
【背景技術】
【０００２】  近年、海外旅行者の増加等により、ホテルの部屋には様々な国の旅行者が宿泊するようになってきている。これに対して、空調機用のリモコンは据え付け型であり、空調機の動作状態については、特定の言語及びピクトグラムで表示されている。  空調機の動作モードの説明文等の文字及びピクトグラムの解釈については、各国の文化的背景によって異なることが分かっている。例えば、暖房として、暖炉等の燃焼式のものを用いている地域と、蒸気等のラジエータを用いている地域とでは、暖房を意味するピクトグラム及び文字列が異なる。【０００３】  このような点に関して、例えば、空調機用のリモコンの表示言語を切り替えることにより、ユーザが理解可能な言語の文字列で、空調機の動作モードを表示する技術が開示されている（例えば、特許文献１参照）。
【先行技術文献】
【特許文献】
【０００４】
【特許文献１】特開２００６−４６６８６号公報
【発明の概要】
【発明が解決しようとする課題】
【０００５】  しかしながら、従来の技術では、ユーザは、言語の切り替えに至るまでの操作を、理解し難い状況で行う必要がある。このため、ユーザが誤った操作により、空調機を誤って操作してしまうおそれがある。【０００６】  そこで、本発明の１又は複数の態様は、空調機用のリモートコントローラにおける空調機の動作モードを示す表示を、ユーザが容易に理解できるものに容易に変更できるようにすることを目的とする。
【課題を解決するための手段】
【０００７】  本発明の１態様に係るリモートコントローラは、空調機を遠隔操作するリモートコントローラであって、各種画面画像を表示する表示部と、設定端末から、ユーザの出身地又は居住地に関するユーザ情報を受信する受信部と、を備え、前記表示部は、前記受信されたユーザ情報に応じて、前記空調機の動作モードを示す画面画像を切り替えることを特徴とする。
【発明の効果】
【０００８】  本発明の１態様によれば、空調機用のリモートコントローラにおける空調機の動作モードを示す表示を、ユーザが容易に理解できるものに容易に変更することができる。
【図面の簡単な説明】
【０００９】
【図１】空調システムの構成を概略的に示すブロック図である。
【図２】設定端末の構成を概略的に示すブロック図である。
【図３】緯度経度情報の一例を示す概略図である。
【図４】（Ａ）及び（Ｂ）は、ハードウェア構成例を示すブロック図である。
【図５】リモコンの構成を概略的に示すブロック図である。
【図６】位置データベースの一例を示す概略図である。
【図７】ピクトグラムデータベースの一例を示す概略図である。
【図８】ユニットデータベースの一例を示す概略図である。
【図９】リモコンに表示される画面画像の一例を示す概略図である。
【図１０】ユーザがリモコンを用いて表示設定を行う際の処理を示すフローチャートである。
【図１１】選択画面画像の一例を示す概略図である。
【図１２】登録されている都市名を特定する処理を示すフローチャートである。
【図１３】動作モード画面画像を生成する処理を示すフローチャートである。
【図１４】動作モード画面画像の第１の例を示す概略図である。
【図１５】動作モード画面画像の第２の例を示す概略図である。
【図１６】ユーザがリモコンのピクトグラムデータベースにピクトグラムを追加する際の処理を示すフローチャートである。
【発明を実施するための形態】
【００１０】  図１は、実施の形態に係る空調システム１００の構成を概略的に示すブロック図である。  空調システム１００は、設定端末１１０と、リモコン１３０Ａ、１３０Ｂと、空調機１６０Ａ、１６０Ｂとを備える。  図１に示されているように、空調システム１００は、空調機１６０Ａ及び空調機１６０Ｂを備える。空調機１６０Ａは、設備管理装置としてのリモコン１３０Ａにより制御され、空調機１６０Ｂは、リモコン１３０Ｂによって遠隔操作される。  なお、空調機１６０Ａは、冷媒を使ったヒートポンプ式であり、空調機１６０Ｂは、水（蒸気）を使ったラジエータ方式であるものとする。
【００１１】  なお、空調機１６０Ａ、空調機１６０Ｂの各々を特に区別する必要がない場合には、空調機１６０といい、リモコン１３０Ａ、１３０Ｂの各々を特に区別する必要がない場合には、リモコン１３０という。  また、図１に示されている空調システム１００は、二つの空調機１６０Ａ、１６０Ｂを備えているが、一つの空調機１６０を備えていてもよく、三つ以上の空調機１６０を備えていてもよい。同様に、空調システム１００は、二つのリモコン１３０Ａ、１３０Ｂを備えているが、一つのリモコン１３０を備えていてもよく、三つ以上のリモコン１３０を備えていてもよい。
【００１２】  設定端末１１０は、リモコン１３０との間で通信を行い、リモコン１３０に動作モードを示す表示を設定する。  図２は、設定端末１１０の構成を概略的に示すブロック図である。  設定端末１１０は、記憶部１１１と、通信部１１２と、入力部１１３と、表示部１１４と、制御部１１５とを備える。
【００１３】  記憶部１１１は、設定端末１１０での処理に必要なプログラム及び情報を記憶する。  例えば、記憶部１１１は、居住地又は出身地に関する情報と、居住地又は出身地に対応する緯度と、居住地又は出身地に対応する経度とを対応付けた緯度経度情報を記憶する。  図３は、緯度経度情報の一例を示す概略図である。  図３に示されている緯度経度情報１１６は、都市名列１１６ａと、緯度列１１６ｂと、経度列１１６ｃとを備えるテーブル形式の情報である。  都市名列１１６ａの各々の行には、都市を識別するための都市識別情報である都市名を格納する。ここでは、都市名が居住地又は出身地に関する情報である。  緯度列１１６ｂの各々の行には、同じ行の都市名で示される都市の緯度を格納する。  経度列１１６ｃの各々の行には、同じ行の都市名で示される都市の経度を格納する。  以上のようにして、緯度経度情報１１６は、都市名と、その緯度と、その経度とを対応付けている。
【００１４】  通信部１１２は、リモコン１３０と通信を行う。例えば、通信部１１２は、無線を用いてリモコン１３０と通信を行う。  入力部１１３は、各種指示の入力を受け付ける。  表示部１１４は、各種画面画像を表示する。
【００１５】  制御部１１５は、設定端末１１０での処理を制御する。  例えば、制御部１１５は、入力部１１３及び表示部１１４を介して、ユーザの居住地又は出身地に関する情報の入力を受け付ける。具体的には、制御部１１５は、入力部１１３及び表示部１１４を介して、ユーザの居住地又は出身地に対応する都市名の入力を受け付ける。  また、制御部１１５は、記憶部１１１に記憶されている緯度経度情報を参照することで、入力された都市名に対応する緯度及び経度を特定する。  そして、制御部１１５は、入力された都市名、並びに、特定された緯度及び経度を示す情報を、通信部１１２から、リモコン１３０に送信する。ここで、入力された都市名は、ユーザの居住地又は出身地に関するユーザ情報として、リモコン１３０に送信させる。
【００１６】  居住地又は出身地に対応する都市名は、ユーザが住んでいる都市又はユーザが生まれた都市の都市名であってもよく、ユーザが住んでいる都市又はユーザが生まれた都市の近くの都市の都市名であってもよい。ユーザが住んでいる都市又はユーザが生まれた都市の近くの都市の都市名は、例えば、ユーザが住んでいる地域の代表的な都市又はユーザが生まれた地域の代表的な都市の都市名であってもよく、また、ユーザが住んでいる国の首都の都市名又はユーザが生まれた国の首都の都市名であってもよい。  なお、記憶部１１１にユーザの居住地又は出身地に関する情報が既に記憶されている場合には、制御部１１５は、ユーザからの入力を受け付けずに、記憶されている情報をユーザ情報として、リモコン１３０に送ってもよい。
【００１７】  以上に記載された制御部１１５の一部又は全部は、例えば、図４（Ａ）に示されているように、メモリ１０と、メモリ１０に格納されているプログラムを実行するＣＰＵ（Ｃｅｎｔｒａｌ  Ｐｒｏｃｅｓｓｉｎｇ  Ｕｎｉｔ）等のプロセッサ１１とにより構成することができる。このようなプログラムは、ネットワークを通じて提供されてもよく、また、記録媒体に記録されて提供されてもよい。即ち、このようなプログラムは、例えば、プログラムプロダクトとして提供されてもよい。
【００１８】  また、制御部１１５の一部は、例えば、図４（Ｂ）に示されているように、単一回路、複合回路、プログラム化したプロセッサ、並列プログラム化したプロセッサ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔｓ）又はＦＰＧＡ（Ｆｉｅｌｄ  Ｐｒｏｇｒａｍｍａｂｌｅ  Ｇａｔｅ  Ａｒｒａｙ）等の処理回路１２で構成することもできる。
【００１９】  なお、記憶部１１１は、揮発性又は不揮発性のメモリで構成することができ、通信部１１２は、通信インターフェースで構成することができる。表示部１１４及び入力部１１３は、例えば、タッチパネルのような、表示装置及び入力装置で構成することができる。
【００２０】  図１に戻り、リモコン１３０は、空調機１６０の設定を行うリモートコントローラである。  図５は、リモコン１３０の構成を概略的に示すブロック図である。  リモコン１３０は、記憶部１３１と、画面構築部１３２と、入力部１３３と、表示部１３４と、端末通信部１３５と、機器通信部１３６と、制御部１３７とを備える。
【００２１】  記憶部１３１は、リモコン１３０の処理に必要なプログラム及び情報を記憶する。  例えば、記憶部１３１は、位置情報としての位置データベース１３８と、ピクトグラム情報としてのピクトグラムデータベース１３９と、ユニット情報としてのユニットデータベース１４０とを備える。
【００２２】  図６は、位置データベース１３８の一例を示す概略図である。  図６に示されている位置データベース１３８は、都市名列１３８ａと、緯度列１３８ｂと、経度列１３８ｃとを有する。  都市名列１３８ａの各々の行は、登録情報としての都市名を格納する。登録情報は、出身地又は居住地に関する情報である。  緯度列１３８ｂの各々の行は、同じ行の都市名で示される都市の緯度を格納する。  経度列１３８ｃの各々の行は、同じ行の都市名で示される都市の経度を格納する。  以上により、位置データベース１３８は、登録された都市名と、緯度と、経度とを対応付けている。
【００２３】  図７は、ピクトグラムデータベース１３９の一例を示す概略図である。  図７に示されているピクトグラムデータベース１３９は、都市名列１３９ａと、モード１列１３９ｂと、モード２列１３９ｃとを有する。  都市名列１３９ａの各々の行は、登録情報として、登録された都市名を格納する。  モード１列１３９ｂの各々の行は、同じ行の都市名で示される都市で、空調機１６０の第１の動作モードであるモード１を表す文字列と、モード１を表すピクトグラムであるモードピクトグラムとを格納する。ここでは、モード１は、暖房であるものとする。  モード２列１３９ｃの各々の行は、同じ行の都市名で示される都市で、空調機１６０の第２の動作モードであるモード２を表す文字列と、モード２を表すピクトグラムであるモードピクトグラムとを格納する。ここでは、モード２は、冷房であるものとする。  以上により、ピクトグラムデータベース１３９は、動作モードと、動作モードを表す文字列と、動作モードを表すモードピクトグラムとを対応付ける。
【００２４】  具体的には、都市名が「東京」の場合は、モード１の説明文字列として「暖房」、モード１のモードピクトグラムとして「太陽マークの絵」が格納される。また、モード２の説明文字列として「冷房」、モード２のモードピクトグラムとして「扇子の絵」が格納される。
【００２５】  都市名が「ワシントンＤ．Ｃ．」の場合は、モード１の説明文字列として「ＨＥＡＴ」、モード１のモードピクトグラムとして「炎の絵」が格納される。また、モード２の説明文字列として「ＣＯＯＬ」、モード２のモードピクトグラムとして「雪の結晶の絵」が格納される。
【００２６】  以上のように、ピクトグラムデータベース１３９は、登録された都市毎に、空調機１６０の動作モードの説明文字列と、動作モードを直感的にユーザに示すモードピクトグラムとを保持する。  なお、ピクトグラムデータベース１３９の説明文字列は、文字コードで、モードピクトグラムは、ビットマップ形式のバイナリーデータとして保持される。  また、ここでは、動作モードとして、モード１とモード２の２つのモードしか持たないが、動作モードは３つ以上であっても、１つしかなくてもよい。
【００２７】  図８は、ユニットデータベース１４０の一例を示す概略図である。  図８に示されているユニットデータベース１４０は、ユニット１列１４０ａと、ユニット２列１４０ｂとを備える。  ユニット１列１４０ａは、ユニット１を識別するためのユニット識別情報であるユニット種別と、空調機１６０の動作モードで使用される第１のユニットであるユニット１を表すピクトグラムであるユニットピクトグラムとを格納する。  ユニット２列１４０ｂは、ユニット２を識別するためのユニット識別情報であるユニット種別と、空調機１６０の動作モードで使用される第２のユニットであるユニット２を表すピクトグラムであるユニットピクトグラムを格納する。  以上により、ユニットデータベース１４０は、空調機１６０の動作モードで使用されるユニットのユニット種別と、ユニット種別で識別されるユニットを表すユニットピクトグラムとを対応付ける。
【００２８】  具体的には、ユニット種別が「ヒートポンプ」である場合、図１に示されている空調機１６０Ａに類似する絵がユニットピクトグラムとして保持される。ユニット種別が「ラジエータ」である場合、図１に示されている空調機１６０Ｂに類似する絵がユニットピクトグラムとして保持される。
【００２９】  なお、ユニットデータベース１４０のユニット種別は、文字コードで、ユニット種別で識別されるユニットを示すユニットピクトグラムは、ビットマップ形式のバイナリーデータとして保持される。
【００３０】  図５に戻り、画面構築部１３２は、ピクトグラムデータベース１３９、ユニットデータベース１４０及び位置データベース１３８を参照して、空調機１６０の動作モードを示す画面画像の画面画像データを生成する。動作モードは、ピクトグラムと文字列との組み合わせにより表される。
【００３１】  入力部１３３は、各種指示の入力を受け付ける。  表示部１３４は、画面構築部１３２により生成された画面画像データに基づいて、画面画像を表示する。例えば、表示部１３４は、設定端末１１０からのユーザ情報に応じて、空調機１６０の動作モードを示す画面画像を切り替える。
【００３２】  図９は、リモコン１３０に表示される画面画像の一例を示す概略図である。  画面構築部１３２で生成される、空調機１６０の動作モードを表す動作モード画面画像１５０は、上部に文字列領域１５０ａと、下部にピクトグラム領域１５０ｂとを有する。
【００３３】  画面構築部１３２は、文字コードに該当するフォントデータをつなげることにより、文字列領域１５０ａに表示する文字列を構築する。  また、画面構築部１３２は、ピクトグラムデータベース１３９から動作モードに対応するモードピクトグラム及びユニットデータベース１４０から使用されるユニットに対応するユニットピクトグラムを読み出し、読み出されたピクトグラムを後述するルールに従って配置することにより、ピクトグラム領域１５０ｂに表示する画像を生成する。なお、図９では、ユニットに対応するユニットピクトグラムが存在せずに、モードピクトグラムのみが表示された例である。  なお、文字列領域１５０ａ及びピクトグラム領域１５０ｂの画像は、ドットの集合で表現される。
【００３４】  図５に戻り、端末通信部１３５は、設定端末１１０との間で通信を行う。ここでは、端末通信部１３５は、無線通信を行う。なお、端末通信部１３５は、設定端末１１０から、ユーザ情報を受信する受信部として機能する。  機器通信部１３６は、空調機１６０との間で通信を行う。ここでは、機器通信部１３６は、有線通信を行う。
【００３５】  制御部１３７は、リモコン１３０での処理を制御する。例えば、制御部１３７は、空調機１６０の制御を行う。具体的には、制御部１３７は、ユーザが指定した設定温度になるように、空調機１６０の運転状態及び動作モードを制御する。
【００３６】  以上に記載された制御部１３７及び画面構築部１３２の一部又は全部は、例えば、図４（Ａ）に示されているように、メモリ１０と、メモリ１０に格納されているプログラムを実行するＣＰＵ等のプロセッサ１１とにより構成することができる。このようなプログラムは、ネットワークを通じて提供されてもよく、また、記録媒体に記録されて提供されてもよい。即ち、このようなプログラムは、例えば、プログラムプロダクトとして提供されてもよい。
【００３７】  また、制御部１３７及び画面構築部１３２の一部又は全部は、例えば、図４（Ｂ）に示されているように、単一回路、複合回路、プログラム化したプロセッサ、並列プログラム化したプロセッサ、ＡＳＩＣ又はＦＰＧＡ等の処理回路１２で構成することもできる。
【００３８】  なお、記憶部１３１は、揮発性又は不揮発性のメモリで構成することができ、端末通信部１３５及び機器通信部１３６は、通信インターフェースで構成することができる。入力部１３３は、例えば、ボタン等により構成することができる。表示部１３４は、例えば、液晶等を用いた表示装置で構成することができる。
【００３９】  図１０は、ユーザがリモコン１３０を用いて表示設定を行う際の処理を示すフローチャートである。  まず、設定端末１１０の制御部１１５は、入力部１１３及び表示部１１４を介して、ユーザから、ユーザの居住地又は出身地に関する情報の入力を受け付ける（Ｓ１０）。ここでは、ユーザの居住地又は出身地に関する情報として、ユーザの居住地又は出身地に対応する都市、例えば、ユーザの居住地若しくは出身地の都市の都市名、又は、ユーザの居住地若しくは出身地に近い都市の都市名の入力を受け付ける。
【００４０】  具体的には、制御部１１５は、表示部１１４に、図１１に示されている選択画面画像１５１を表示させて、入力部１１３を介して、ユーザの居住地若しくは出身地である都市、又は、ユーザの居住地若しくは出身地に近い都市の都市名の選択を受け付ける。図１１に示されているように、選択画面画像１５１には、複数の都市の都市名が表示されており、ユーザは、表示された都市名から、１つの都市名を選択することができる。  なお、制御部１１５は、既に、ユーザが都市名を選択して、設定端末１１０に記憶されている場合には、ステップＳ１０をスキップして、ステップＳ１１に処理を進める。
【００４１】  次に、制御部１１５は、記憶部１１１に記憶されている経度緯度情報を参照することにより、入力された都市名に対応する緯度及び経度を特定する（Ｓ１１）。  そして、制御部１１５は、通信部１１２を介して、入力された都市名、特定された緯度及び特定された経度を示す設定情報をリモコン１３０に送る（Ｓ１２）。
【００４２】  次に、リモコン１３０の画面構築部１３２は、設定端末１１０から送られてきた設定情報で示されている都市名が、位置データベース１３８に登録されているか否かを判断する（Ｓ１３）。その都市名が登録されていない場合（Ｓ１３でＮｏ）には、処理はステップＳ１４に進み、その都市名が登録されている場合（Ｓ１３でＹｅｓ）には、処理はステップＳ１５に進む。
【００４３】  ステップＳ１４では、画面構築部１３２は、位置データベース１３８に登録されている都市名を特定する処理を行う。例えば、画面構築部１３２は、位置データベース１３８に登録されている都市名から、設定情報で示されている都市名に近接する都市名を特定する。ここでの処理については、図１２を用いて、詳細に説明する。そして、処理はステップＳ１５に進む。
【００４４】  ステップＳ１５では、画面構築部１３２は、機器通信部１３６を介して空調機１６０と通信して、空調機１６０のユニット種別を示す種別情報を取得する。  そして、画面構築部１３２は、ステップＳ１５で取得した種別情報、及び、ステップＳ１２で送られてきた都市名又はステップＳ１４で特定された都市名を用いて、動作モード画面画像の画像データである動作モード画面画像データを生成する（Ｓ１６）。動作モード画面画像データの生成方法については、図１３を用いて、詳細に説明する。
【００４５】  表示部１３４は、ステップＳ１６で生成された動作モード画面画像データに基づいて、動作モード画面画像を表示する（Ｓ１７）。
【００４６】  図１２は、図１０のステップＳ１４において、登録されている都市名を特定する処理を示すフローチャートである。  リモコン１３０の画面構築部１３２は、設定端末１１０から送られてきた設定情報で示されている緯度Ｌａ１及び経度Ｌｏ１と、位置データベース１３８に登録されている緯度Ｌａ２及び経度Ｌｏ２の各々とを用いて、下記の（１）式を用いて、都市間の距離の大きさＤＶを算出する（Ｓ２０）。  ＤＶ＝（Ｌａ１−Ｌａ２）２＋（Ｌｏ１−Ｌｏ２）２            （１）
【００４７】  画面構築部１３２は、ステップＳ２０で算出された、都市間の距離の大きさＤＶを参照して、設定端末１１０から送られてきた設定情報で示されている都市名で示される都市に近い順で、位置データベース１３８に登録されている都市名から予め定められた数の都市名を特定する（Ｓ２１）。予め定められた数は、例えば、５とする。
【００４８】  画面構築部１３２は、ステップＳ２１で特定された都市名を表示部１３４に表示させて、入力部１３３を介して、都市名の選択を受け付ける（Ｓ２２）。例えば、ユーザは、リストアップされた５つの都市名の中から、自分の出身地又は居住地に最も近いと思う都市名を選択する。ここでは、ユーザは、距離的な近さだけでなく文化的な近さを考慮して、又は、文化的な近さのみを考慮して、選択を行ってもよい。
【００４９】  そして、画面構築部１３２は、選択された都市名を登録されている都市名として特定する（Ｓ２３）。  なお、ここでは、５つの都市名をリストアップしてユーザに選択させているが、画面構築部１３２は、最も距離の近い都市の都市名を、登録されている都市名として特定してもよい。
【００５０】  図１３は、図１０のステップＳ１６において、動作モード画面画像データを生成する処理を示すフローチャートである。  まず、リモコン１３０の画面構築部１３２は、機器通信部１３６を介して、空調機１６０から動作モードを取得する（Ｓ３０）。ここで取得される動作モードは、空調機１６０が現在動作しているモードである。
【００５１】  次に、画面構築部１３２は、ピクトグラムデータベース１３９から、ステップＳ３０で取得された動作モードと、図１０のステップＳ１２で設定端末１１０から送信された設定情報で示されている都市名又は図１０のステップＳ１４で特定された都市名とに対応する文字列及びモードピクトグラムを読み出す（Ｓ３１）。
【００５２】  次に、画面構築部１３２は、ユニットデータベース１４０を参照することで、図１０のステップＳ１５で取得されたユニット種別情報で示されるユニット種別に対応するユニットピクトグラムがあるか否かを判断する（Ｓ３２）。そのようなユニットピクトグラムがある場合（Ｓ３２でＹｅｓ）には、処理はステップＳ３３に進み、そのようなユニットピクトグラムがない場合（Ｓ３２でＮｏ）には、処理はステップＳ３４に進む。
【００５３】  ステップＳ３３では、画面構築部１３２は、ユニットデータベース１４０から、図１０のステップＳ１５で取得されたユニット種別情報で示されるユニット種別に対応するユニットピクトグラムを読み出して、読み出されたユニットピクトグラムと、ステップＳ３１で読み出された文字列及びモードピクトグラムとを予め定められた第１のフォーマットで配置することで、動作モード画面画像データを生成する。
【００５４】  図１４は、ステップＳ３３で生成される動作モード画面画像データに基づいて表示される動作モード画面画像の第１の例を示す概略図である。  図１４に示されている動作モード画面画像１５２は、上部に文字列領域１５２ａと、下部にピクトグラム領域１５２ｂとを備える。  文字列領域１５２ａには、上部にステップＳ３１で読み出された文字列が配置される。  ピクトグラム領域１５２ｂは、モードピクトグラム領域１５２ｃと、ユニットピクトグラム領域１５２ｄとを備える。  モードピクトグラム領域１５２ｃには、ステップＳ３１で読み出されたモードピクトグラムが配置される。  ユニットピクトグラム領域１５２ｄには、ユニットデータベース１４０から読み出されたユニットピクトグラムが配置される。
【００５５】  図１４では、モードピクトグラム領域１５２ｃの縦幅Ｌ１及び横幅Ｗ１は、ユニットピクトグラム領域１５２ｄの縦幅Ｌ２及び横幅Ｗ２のそれぞれ２倍になっているが、実施の形態は、このような例に限定されない。
【００５６】  図１３に戻り、ステップＳ３４では、画面構築部１３２は、ステップＳ３１で読み出された文字列及びモードピクトグラムを予め定められた第２のフォーマットで配置することで、動作モード画面画像データを生成する。
【００５７】  図１５は、ステップＳ３４で生成される動作モード画面画像データに基づいて表示される動作モード画面画像の第２の例を示す概略図である。  図１５に示されている動作モード画面画像１５３は、上部に文字列領域１５３ａと、下部にピクトグラム領域１５３ｂとを備える。  文字列領域１５３ａには、ステップＳ３１で読み出された文字列が配置される。  ピクトグラム領域１５３ｂには、ステップＳ３１で読み出されたモードピクトグラムが配置される。
【００５８】  図１５では、ピクトグラム領域１５３ｂの縦幅Ｌ３及び横幅Ｗ３を、図１４に示されているモードピクトグラム領域１５２ｃの縦幅Ｌ２及び横幅Ｗ２のそれぞれと同じ長さとする。そして、ピクトグラム領域１５３ｂの横幅Ｗ３の領域の両脇に、横幅がそれぞれＷ４及びＷ５となる余白領域が設けられている。なお、横幅Ｗ４及び横幅Ｗ５は、それぞれ、図１４に示されているユニットピクトグラム領域１５２ｄの横幅Ｗ２の半分の長さになっている。
【００５９】  図１６は、ユーザがリモコン１３０のピクトグラムデータベース１３９にピクトグラムを追加する際の処理を示すフローチャートである。  まず、ユーザは、設定端末１１０の表示部１１４及び入力部１１３を介して、追加するモードピクトグラムを選択する（Ｓ４０）。
【００６０】  次に、ユーザは、設定端末１１０の表示部１１４及び入力部１１３を介して、ステップＳ４０で選択されたモードピクトグラムに対して、空調機１６０の動作モードを設定する（Ｓ４１）。
【００６１】  次に、ユーザは、設定端末１１０の表示部１１４及び入力部１１３を介して、ステップＳ４０で選択されたモードピクトグラムのモードを説明する文字列を設定する（Ｓ４２）。
【００６２】  次に、設定端末１１０の制御部１１５は、ステップＳ４０で選択されたモードピクトグラム、ステップＳ４０で設定された動作モード、及び、ステップＳ４２で設定された文字列により、ピクトグラムデータベース１３９の１行分に該当するデータを作成し、通信部１１２を介して、そのデータをリモコン１３０に送る（Ｓ４３）。そのようなデータを受信したリモコン１３０では、画面構築部１３２が、そのデータをピクトグラムデータベース１３９に登録する。
【００６３】  以上のように、実施の形態によれば、居住地又は出身地に関する情報により、動作モードを示す文字列及びモードピクトグラムを適切に変えることにより、ユーザが空調機１６０の現在の動作モードを直感的に理解できるようになる。
【００６４】  以上のように、実施の形態によれば、居住地又は出身地に該当するモードピクトグラムを搭載していない場合であっても、ユーザにとって理解しやすいモードピクトグラムを選定することができる。これにより、ユーザは、空調機１６０の動作モードを直感的に理解することができる。
【００６５】  以上のように、新規にモードピクトグラムを追加できることにより、前述した最も理解しやすいモードピクトグラムで緊急措置をした後、ユーザが適切に理解可能なモードピクトグラムを後から追加することができる。
【００６６】  なお、以上に記載された実施の形態では、出身地又は居住地に関する情報は、都市名であるが、本実施の形態は、以上の例に限定されない。例えば、出身地又は居住地に関する情報は、国を識別するための国識別情報である国名であってもよく、群、市、県又は州等の地方を識別するための地方識別情報である地方名であってもよい。
【符号の説明】
【００６７】  １００  空調システム、  １１０  設定端末、  １１１  記憶部、  １１２  通信部、  １１３  入力部、  １１４  表示部、  １１５  制御部、  １３０  リモコン、  １３１  記憶部、  １３２  画面構築部、  １３３  入力部、  １３４  表示部、  １３５  端末通信部、  １３６  機器通信部、  １３７  制御部、  １６０  空調機。
【図１】
2019180888.tif 000003
【図２】
2019180888.tif 000004
【図３】
2019180888.tif 000005
【図４】
2019180888.tif 000006
【図５】
2019180888.tif 000007
【図６】
2019180888.tif 000008
【図７】
2019180888.tif 000009
【図８】
2019180888.tif 000010
【図９】
2019180888.tif 000011
【図１０】
2019180888.tif 000012
【図１１】
2019180888.tif 000013
【図１２】
2019180888.tif 000014
【図１３】
2019180888.tif 000015
【図１４】
2019180888.tif 000016
【図１５】
2019180888.tif 000017
【図１６】
2019180888.tif 000018
【手続補正書】
【提出日】令和2年3月9日(2020.3.9)
【手続補正１】
【補正対象書類名】特許請求の範囲
【補正対象項目名】全文
【補正方法】変更
【補正の内容】
【特許請求の範囲】
【請求項１】
空調機を遠隔操作するリモートコントローラであって、
各種画面画像を表示する表示部と、
設定端末から、ユーザの出身地又は居住地に関するユーザ情報を受信する受信部と、
出身地又は居住地に関する複数の登録情報の各々に、前記空調機の動作モードを表す複数のピクトグラムの各々を対応付けるピクトグラム情報を記憶する記憶部と、
前記複数の登録情報の内、前記受信されたユーザ情報に一致する１つの登録情報がある場合に、前記１つの登録情報に対応するピクトグラムを前記複数のピクトグラムから特定し、前記特定されたピクトグラムを含む画面画像を生成し、前記生成された画面画像を前記表示部に表示させる画面構築部と、を備えること
を特徴とするリモートコントローラ。
【請求項２】
空調機を遠隔操作するリモートコントローラであって、
各種画面画像を表示する表示部と、
設定端末から、ユーザの出身地又は居住地に関するユーザ情報を受信する受信部と、
出身地又は居住地に関する複数の登録情報の各々に、複数のピクトグラムの各々を対応付けるピクトグラム情報を記憶する記憶部と、
前記複数の登録情報の何れも前記受信されたユーザ情報に一致しない場合に、前記複数の情報における出身地又は居住地から、前記受信された登録情報における出身地又は居住地に近接する出身地又は居住地に関する１つの登録情報を特定し、前記１つの登録情報に対応するピクトグラムを前記複数のピクトグラムから特定し、前記特定されたピクトグラムを含む画面画像を生成し、前記生成された画面画像を前記表示部に表示させる画面構築部と、を備えること
を特徴とするリモートコントローラ。
【請求項３】
各種指示の入力を受け付ける入力部をさらに備え、
前記画面構築部は、前記複数の登録情報の何れも前記受信されたユーザ情報に一致しない場合に、前記複数の登録情報の中から、前記受信されたユーザ情報における出身地又は居住地に距離が近い順に予め定められた数の前記登録情報を前記表示部に表示して、前記入力部を介して、前記１つの登録情報の選択を受け付けること
を特徴とする請求項２に記載のリモートコントローラ。
【請求項４】
前記受信部は、前記設定端末から、前記ユーザ情報及び新たなピクトグラムを受信し、
前記画面構築部は、前記ユーザ情報を前記登録情報として、前記新たなピクトグラムに対応付けて、前記ピクトグラム情報に追加すること
を特徴とする請求項１から３の何れか一項に記載のリモートコントローラ。
【請求項５】
前記ユーザ情報は、都市名を示すこと
を特徴とする請求項１から４の何れか一項に記載のリモートコントローラ。
【請求項６】
前記登録情報は、都市名を示すこと
を特徴とする請求項１から４の何れか一項に記載のリモートコントローラ。
【手続補正２】
【補正対象書類名】明細書
【補正対象項目名】０００７
【補正方法】変更
【補正の内容】
【０００７】
本発明の１態様に係るリモートコントローラは、空調機を遠隔操作するリモートコントローラであって、各種画面画像を表示する表示部と、設定端末から、ユーザの出身地又は居住地に関するユーザ情報を受信する受信部と、出身地又は居住地に関する複数の登録情報の各々に、前記空調機の動作モードを表す複数のピクトグラムの各々を対応付けるピクトグラム情報を記憶する記憶部と、前記複数の登録情報の内、前記受信されたユーザ情報に一致する１つの登録情報がある場合に、前記１つの登録情報に対応するピクトグラムを前記複数のピクトグラムから特定し、前記特定されたピクトグラムを含む画面画像を生成し、前記生成された画面画像を前記表示部に表示させる画面構築部と、を備えることを特徴とする。
【国際調査報告】
2019180888.tif 000019
2019180888.tif 000020
2019180888.tif 000021
2019180888.tif 000022